(57)【要約】【課題】グリップに巻き付けた時に、グリップ表面に従来のグリップテープに比べて明確な凹凸（段差）を作り出すことが可能であり、高い滑り止め効果を発揮することができるとともに、グリップ表面の部位によって特性に変化をつけたり、グリップ表面の意匠性を向上させたりすることを容易になし得るグリップテープを提供すること。【解決手段】帯状の主テープと、前記主テープと平行方向に延びるように該主テープの裏面に貼着された帯状の副テープとからなり、前記主テープと前記副テープは、前記副テープの幅方向の上縁が前記主テープの幅方向の上縁よりも上方に位置し、前記副テープの幅方向の下縁が前記主テープの幅方向の下縁よりも上方に位置するように、上下にずれて貼着されていることを特徴とするグリップテープである。【選択図】図１
2013027491.tif 000002
【特許請求の範囲】
【請求項１】
帯状の主テープと、
前記主テープと平行方向に延びるように該主テープの裏面に貼着された帯状の副テープとからなり、
前記主テープと前記副テープは、前記副テープの幅方向の上縁が前記主テープの幅方向の上縁よりも上方に位置し、前記副テープの幅方向の下縁が前記主テープの幅方向の下縁よりも上方に位置するように、上下にずれて貼着されていることを特徴とするグリップテープ。
【請求項２】
前記主テープと前記副テープが異なる素材からなることを特徴とする請求項１記載のグリップテープ。
【請求項３】
前記主テープと前記副テープが異なる色のものであることを特徴とする請求項１又は２記載のグリップテープ。
【発明の詳細な説明】
【技術分野】
【０００１】
本発明は、テニスやバドミントン等のラケット、ゴルフクラブ、野球のバット等のスポーツ用具のグリップや工具の握り手など、人が握持して使用する用具において滑り止めを目的として握持部位に巻回して使用されるグリップテープに関する。
【背景技術】
【０００２】
テニスやバドミントン等のラケットのグリップに巻き付けられるグリップテープには、手が滑ることを防ぐための滑り止め機能が要求される。
通常、グリップテープの素材はそれ自体が滑り止め機能を有しているが、滑り止め機能をより向上させるための技術も提案されている。
【０００３】
例えば、下記特許文献１には、帯状のテープ本体（Ａ）と、該テープ本体の裏面側略中央部にテープ本体に沿って設けた高いクッション性を有する突起部（Ｂ）とを備えて構成したグリップテープが開示されている。（図３参照）
【０００４】
このグリップテープは、グリップに巻いた時に、テープ本体裏面の突起部部分が盛り上がってグリップ表面に適当な凹凸ができるため、汗等をかいた時にも滑り難くなるという効果が得られる。
【０００５】
しかしながら、このグリップテープでは、突起部は裏面側に配置されて表面に露出しないため、グリップ表面にできる凹凸は非常になだらかなものとなる。そのため、得られる滑り止め効果は小さい。
また、突起部は裏面側に配置されて表面に露出しないため、グリップ表面の特性（グリップ性や吸汗性等）はテープ本体の素材により定まることとなり、グリップ表面の部位によって特性に変化をつけることはできない。
更に、突起部は裏面側に配置されて表面に露出しないため、グリップ表面の色はテープ本体の色により定まることとなり、グリップ表面のデザインが単調なものとなり意匠性を向上させることが難しい。
【先行技術文献】
【特許文献】
【０００６】
【特許文献１】特開平６−７４８８号公報
【発明の概要】
【発明が解決しようとする課題】
【０００７】
本発明は、上記したような従来技術の課題を解決するためになされたものであって、グリップに巻き付けた時に、グリップ表面に上記したような従来のグリップテープに比べて明確な凹凸（段差）を作り出すことが可能であり、これによって高い滑り止め効果を発揮することができるとともに、グリップ表面の部位によって特性に変化をつけたり、グリップ表面の意匠性を向上させたりすることを容易になし得るグリップテープを提供するものである。
【課題を解決するための手段】
【０００８】
請求項１に係る発明は、帯状の主テープと、前記主テープと平行方向に延びるように該主テープの裏面に貼着された帯状の副テープとからなり、前記主テープと前記副テープは、前記副テープの幅方向の上縁が前記主テープの幅方向の上縁よりも上方に位置し、前記副テープの幅方向の下縁が前記主テープの幅方向の下縁よりも上方に位置するように、上下にずれて貼着されていることを特徴とするグリップテープに関する。
【０００９】
請求項２に係る発明は、前記主テープと前記副テープが異なる素材からなることを特徴とする請求項１記載のグリップテープに関する。
【００１０】
請求項３に係る発明は、前記主テープと前記副テープが異なる色のものであることを特徴とする請求項１又は２記載のグリップテープに関する。
【発明の効果】
【００１１】
請求項１に係る発明によれば、帯状の主テープと、主テープと平行方向に延びるように該主テープの裏面に貼着された帯状の副テープとからなり、主テープと副テープは、副テープの幅方向の上縁が主テープの幅方向の上縁よりも上方に位置し、副テープの幅方向の下縁が主テープの幅方向の下縁よりも上方に位置するように、上下にずれて貼着されているグリップテープであることから、グリップに巻き付けた時に、グリップ表面に主テープと副テープのズレに起因する凹凸（段差）を作り出すことができる。そのため、グリップを握った時に段差の部分に指が引っ掛かり、高い滑り止め効果を発揮することが可能となる。
【００１２】
請求項２に係る発明によれば、主テープと副テープが異なる素材からなることから、グリップに巻き付けた時に、グリップ表面に露出する主テープ部分と副テープ部分とが異なる特性を有することとなる。そのため、例えば主テープによりグリップ性を付与し、副テープにより吸汗性を付与するなど、グリップ表面の部位によって特性に変化をつけることができる。
【００１３】
請求項３に係る発明によれば、主テープと副テープが異なる色からなることから、グリップに巻き付けた時に、グリップ表面に露出する主テープ部分と副テープ部分とが異なる色で螺旋状の模様を形成することとなり、意匠性を向上させることができる。
【図面の簡単な説明】
【００１４】
【図１】本発明に係るグリップテープを示す図であって、（ａ）は表面図、（ｂ）は拡大表面図、（ｃ）は拡大裏面図、（ｄ）は（ｂ）図のＡ−Ａ線断面図である。
【図２】本発明に係るグリップテープの使用状態の一例を示す図であり、（ａ）は外観図、（ｂ）は（ａ）図のＢ−Ｂ線断面図、（ｃ）は（ｂ）の変更例である。
【図３】従来のグリップテープの一例を示す図である。
【発明を実施するための形態】
【００１５】
以下、本発明に係るグリップテープの好適な実施形態について図面を適宜参照しながら説明する。
図１は本発明に係るグリップテープを示す図であって、（ａ）は表面図、（ｂ）は拡大表面図、（ｃ）は拡大裏面図、（ｄ）は（ｂ）図のＡ−Ａ線断面図である。
【００１６】
本発明に係るグリップテープ（１）は、帯状の主テープ（２）と、この主テープ（２）の裏面に貼着された帯状の副テープ（３）とから構成されている。貼着の具体的方法は特に限定されず、例えば、両面粘着テープや接着剤を用いる方法や、縫製による方法が例示できる。
【００１７】
主テープ（２）と副テープ（３）は、同じ方向（平行方向）に延びているが、上下方向にずれて貼着されている。
具体的には、主テープ（２）と副テープ（３）は、副テープ（３）の幅方向の上縁（３１）が主テープ（２）の幅方向の上縁（２１）よりも上方に位置し、副テープ（３）の幅方向の下縁（３２）が主テープ（２）の幅方向の下縁（２２）よりも上方に位置するように、上下にずれて貼着されている。
言い換えると、グリップテープ（１）の表面側において、副テープ（３）の幅方向の上縁（３１）は主テープ（２）に隠れることなく露出しているが、副テープ（３）の幅方向の下縁（３２）は主テープ（２）に隠れて露出していない。（図１（ｂ）参照）  一方、グリップテープ（１）の裏面側において、主テープ（２）の幅方向の上縁（２１）は副テープ（３）に隠れて露出していないが、主テープ（２）の幅方向の下縁（２２）は副テープ（３）に隠れることなく露出している。（図１（ｃ）参照）
尚、本明細書において、上方及び下方とは、主テープ（２）と副テープ（３）との位置関係を表すために便宜的に定めた方向であって、図１に示すようにグリップテープ（１）の長さ方向を左右方向に配置し且つグリップ表面に巻き付ける際の始端部（Ｓ）を左下方に配置した状態における上方及び下方を指す。
【００１８】
主テープ（２）と副テープ（３）の幅は同じであってもよいが、図示のように主テープ（２）を副テープ（３）よりも太くすることが好ましく、主テープ（２）の幅を副テープ（３）の幅（Ｗ１）の約１．５〜６倍に設定することがより好ましい。一例として、主テープ（２）の幅を約２０〜３０ｍｍ、副テープ（３）の幅を約５〜２０ｍｍに設定することができる。
【００１９】
主テープ（２）と副テープ（３）のずれの幅は特に限定されないが、主テープ（２）の上縁（２１）と副テープ（３）の上縁（３１）との間の幅（Ｗ）（図１（ｂ）（ｄ）参照）が２ｍｍ以上、好ましくは３ｍｍ以上となるように設定するとよい。これは、幅（Ｗ）が小さすぎると、後述する如く主テープ（２）と副テープ（３）の色を異ならせた場合に得られる視覚的効果（意匠性）や、後述する如く主テープ（２）と副テープ（３）の材質を異ならせた場合に副テープ（３）から得られる機能的効果（振動吸収性や吸水性等）が充分に発揮されない虞があるためである。
【００２０】
主テープ（２）と副テープ（３）の重なり幅（Ｗ１−Ｗ）は特に限定されないが、２ｍｍ以上、好ましくは３ｍｍ以上となるように設定することが好ましい。
これは、重なり幅（Ｗ１−Ｗ）が小さすぎると、グリップに巻き付けた時に表面に形成される段差（図２（ｂ）（ｃ）参照）が不明確となって、滑り止め効果が充分に発揮されない虞があるためである。
また、重なり幅（Ｗ１−Ｗ）が小さすぎると、副テープ（３）の主テープ（２）に対する貼り付け代が小さくなり、副テープ（３）が主テープ（２）から剥離脱落し易くなる虞があるためである。
【００２１】
主テープ（２）と副テープ（３）の厚みは同じであっても異ならせてもよい。
主テープ（２）と副テープ（３）の厚みを異ならせた場合、グリップに巻き付けた時に段差を明確に形成することができる。異ならせる場合、主テープ（２）の方が厚くてもよいし副テープ（３）の方が厚くてもよいが、副テープ（３）の方を厚く形成すると段差を明確化できるため好ましい。
【００２２】
主テープ（２）と副テープ（３）の材質は同じとしてもよいが、異ならせることが好ましい。これは、主テープ（２）と副テープ（３）の材質を異ならせると、グリップに巻き付けた時に、グリップ表面に露出する主テープ（２）部分と副テープ（３）部分とが異なる特性を有することとなる。そのため、例えば主テープ（２）によりグリップ性を付与し、副テープ（３）により吸汗性や消臭性を付与するなど、グリップ表面の部位によって特性に変化をつけることができる。
【００２３】
本発明においては、主テープ（２）と副テープ（３）の材質を異ならせることにより、主テープ（２）と副テープ（３）が、グリップ性（滑り止め性）、吸汗性（吸湿性）、消臭性、抗菌性、振動吸収性（衝撃吸収性）、柔軟性（硬さ）の少なくとも１つ以上の特性において差異を有するようにすることが好ましい。
【００２４】
主テープ（２）と副テープ（３）の材質を同じとする場合、両テープの素材はレーヨンやポリエステル等の繊維からなる不織布からなる基材層の表裏面に、多孔質ポリウレタン樹脂等からなる多孔質合成樹脂層を設けたもの等が好適に使用される。
【００２５】
主テープ（２）と副テープ（３）の材質を異なるものとする場合、例えば主テープ（２）の素材を、発泡性、多孔質性の、ウレタンゴム、シリコンゴム、ブタジエンゴム、イソプレンゴム、クロロプレンゴム、ブチルゴム、フッ素ゴム、スチレン−ブタジエンゴム等のゴム材料とし、副テープ（３）の素材をウレタンゲルやシリコンゲル等のゲル材料、又はスチレン系エラストマー樹脂とすることができる。この場合、主テープ（２）による滑り止め機能と、副テープ（３）による振動吸収機能とを発揮することが可能となる。
また、主テープ（２）の素材を、発泡性、多孔質性の、ウレタンゴム、シリコンゴム、ブタジエンゴム、イソプレンゴム、クロロプレンゴム、ブチルゴム、フッ素ゴム、スチレン−ブタジエンゴム等のゴム材料とし、副テープ（３）の素材を多孔質ＰＶＡ、セーム皮等の天然皮革、合成繊維のマイクロファイバー素材とすることもできる。この場合、主テープ（２）による滑り止め機能と、副テープ（３）による吸水機能とを発揮することが可能となる。
尚、主テープ（２）と副テープ（３）の材質は上記例示したものには限定されないが、本発明では主テープ（２）の材質は多孔質ウレタンゴムとすることが好ましい。
【００２６】
主テープ（２）と副テープ（３）の両方又はいずれか一方に、抗菌剤及び／又は消臭剤を含浸又は塗布してもよい。
抗菌剤及び消臭剤としては、例えば、緑茶エキス、竹エキス、タンニン、アビエチン酸抽出物、シルクパウダー、柿抽出物、フラボノイド、カテキン、抗菌性金属イオン（銀、亜鉛などのイオン）、アンモニウム担持ゼオライド、ヒノキチオール、ヒバ油、金属酸化物（酸化カルシウム、酸化マグネシウム、酸化亜鉛、酸化バリウム等）、が挙げられ、これらの消臭剤及び抗菌剤は、それぞれ単独で用いてもよく、２種以上を混合して用いてもよい。
【００２７】
主テープ（２）と副テープ（３）の色は同じとしてもよいが、図示のように異ならせることが好ましい。
これは、主テープ（２）と副テープ（３）が異なる色からなるものであると、グリップに巻き付けた時に、グリップ表面に露出する主テープ（２）部分と副テープ（３）部分とが異なる色で螺旋状の模様を形成することとなり、優れた意匠性が発揮されるためである。一例として、主テープ（２）を黒色、副テープ（３）を黄色とすることができる。
また、主テープ（２）と副テープ（３）に異なる模様を付してもよい。
【００２８】
図２は本発明に係るグリップテープの使用状態の一例を示す図であり、（ａ）は外観図、（ｂ）は（ａ）図のＢ−Ｂ線断面図である。
図２に示すように、本発明に係るグリップテープ（１）は通常のグリップテープと同様に、テニスやバドミントン等のラケットのグリップ（Ｇ）に巻き付けて使用される。
この状態において、グリップ表面では、主テープ（２）と副テープ（３）のズレに起因する凹凸（段差）がグリップの長さ方向に一定の間隔で規則的に作り出される。（図２（ｂ）（ｃ）参照）
これにより、使用者がグリップを握った時に、段差の部分に指が引っ掛かり、高い滑り止め効果を発揮することが可能となる。
【００２９】
図２（ｂ）と図２（ｃ）は、重なり部分（Ｒ１）（Ｒ２）の厚み（層数）が異なる。図２（ｂ）は重なり部分（Ｒ１）が２層であるのに対し、図２（ｃ）は重なり部分（Ｒ２）が３層となっている。このように、グリップテープ（１）の巻き方（重なり方）を変えることで、凹凸（段差）の大きさを調整することができる。
【００３０】
主テープ（２）と副テープ（３）のズレに起因する凹凸（段差）は、グリップ表面において主テープ（２）から副テープ（３）が露出することにより、図３に示した従来のものに比べて明確となる。但し、凹凸（段差）の大きさは、主テープ（２）と副テープ（３）の厚みや重なり量、グリップテープの巻き方等を調整することにより変更することができ、使用者の好みに合わせて、なだらかな凹凸（段差）とすることもできるし、明確な凹凸（段差）とすることもできる。
【００３１】
また、図２に示すように、主テープ（２）と副テープ（３）が異なる色からなるものであると、グリップ表面に露出する主テープ（２）部分と副テープ（３）部分とが異なる色で螺旋状の模様を形成することとなり、意匠的に優れたものとなる。ここで、主テープ（２）の露出幅と副テープ（３）の露出幅の比率を変更することにより、模様を変化させることができる。例えば、主テープ（２）の露出幅と副テープ（３）の露出幅とを同じとすると、同幅の２色のラインからなる綺麗なツートンカラーの螺旋模様が形成されることとなる。
尚、例えば主テープ（２）の表面にインクでライン状に印刷を施すことにより、同様の外観を得ることはできるが、この場合はインクが付着している部分が滑り易くなるため、グリップテープの滑り止め機能が大きく損なわれることとなる。これに対して、本発明に係るグリップテープは、滑り止め機能と意匠性を同時に向上させることができる点で非常に優れている。
【産業上の利用可能性】
【００３２】
本発明に係るグリップテープは、テニスやバドミントン等のラケット、ゴルフクラブ、野球のバット等のスポーツ用具のグリップのみならず、ハンマーやドライバー等の工具の握り手など、人が握持して使用する幅広い用具において滑り止めを目的として握持部位に巻き付けて使用することができる。
【符号の説明】
【００３３】
１      グリップテープ
２      主テープ
２１    主テープの上縁
２２    主テープの下縁
３      副テープ
３１    副テープの上縁
３２    副テープの下縁
【図１】
2013027491.tif 000003
【図２】
2013027491.tif 000004
【図３】
2013027491.tif 000005